(57)【特許請求の範囲】
【請求項１】
地盤面上に基礎構造体を介して居室スペースを設け、居室スペースと地盤面の間に前記居室スペースよりも天井高さの低い収納室を構成するものであって、
前記基礎構造体が、地盤面上に板状に設けたベタ基礎部と、当該ベタ基礎部の外周近傍より立ち上げた立上げ基礎部とを含んでいて、
前記立上げ基礎部上に土台を介し複数の柱を設けて、これらの柱の上部に床根太を含む横架材を支持させており、
前記床根太の下に天井パネル部材を取り付けることで天井面を、前記複数の柱に壁パネル部材を設けて当該壁パネル部材、前記土台および前記立上げ基礎部を基に壁面を、さらに前記ベタ基礎部によって床面をそれぞれ構成して、これらの天井面、壁面、及び床面によって仕切られた空間の少なくとも一部を収納室とするとともに、
前記床根太の上に床パネル部材を設けることで第２の床面を構成し、当該第２の床面より上方の空間を居住スペースとしたことを特徴とする建築物。
【請求項２】
ベタ基礎部の外周に沿った壁面と、床面と、天井面とによって仕切られた空間のほぼ全体を収納室としている請求項１記載の建築物。
【請求項３】
ベタ基礎部の外周に沿った壁面と、内部壁とによって収納室を小さく仕切ることで、収納室の上の第２階層に対して当該収納室を、床面積の判断に用いられる基準比率以下の床面積とし、階数の判断に用いられる基準値以下の天井高さとしている請求項１記載の建築物。
【請求項４】
前記居住スペースを形成するための複数の第２の柱を前記横架材上に設け、前記横架材を支持する柱及び前記第２の柱の少なくとも一部を、前記横架材を挟んで上下に連続するように配しつつ、横断面形状を同一としたことを特徴とする請求項１〜３の何れかに記載の建築物。
【請求項５】
前記天井パネル部材が発泡樹脂により形成されていることを特徴とする請求項１〜４の何れかに記載の建築物。
【請求項６】
前記収納室を含む第１階層内において床面より天井面まで立ち上げられた第１の内部壁が設けられており、当該第１の内部壁が、前記第２の床面を含む第２階層内に設けられた第２の内部壁と平面視略同一の位置に配されていることを特徴とする請求項１〜５のいずれかに記載の建築物。
【請求項７】
前記収納室と前記居住スペースとを連結する階段を内部に備えていることを特徴とする請求項１〜６のいずれかに記載の建築物。
【請求項８】
前記壁パネル部材に窓を設けたことを特徴とする請求項１〜７のいずれかに記載の建築物。
【請求項９】
前記壁面の少なくとも一部に前記収納室に出入可能な出入口を設けたことを特徴とする請求項１〜８のいずれかに記載の建築物。
【発明の詳細な説明】
【技術分野】
【０００１】
本発明は、限られた床面積を有効に活用しつつ広い収納スペースを確保した建築物に関するものである。
【背景技術】
【０００２】
従来、戸建て住宅等の建築物において、快適な居住空間を実現するため、様々な間取りや構造を備えたものが提案されている。
【０００３】
その中でも、限られた床面積の中で広い収納スペースを確保することを目的に、下記特許文献１のような建物が提案されている。
【０００４】
これは、基礎の一部を地盤から１．２〜２．２ｍの高さにして、その基礎の一部に囲まれた床下空間を蔵型収納部としたものであり、このような構成にすることで大掛かりな地下室を設けることなく床下に広い収納スペースを確保することが可能となっている。
【先行技術文献】
【特許文献】
【０００５】
【特許文献１】特許第２７６７７７９号公報
【発明の概要】
【発明が解決しようとする課題】
【０００６】
しかしながら、上記特許文献１記載のような構成とすると、収納スペースの四方がコンクリート製の基礎によって囲まれるため、収納部の内部が暗く、湿気のこもったものとなってしまう。仮に、換気及び採光を目的として基礎の一部に換気口を設ける場合であっても、その換気口をコンクリート製の基礎に対して自由な位置に設けることは困難であるため、上記の問題を解消するには至らない。換気扇や窓を設けることも考えられるが、これらをコンクリート製の基礎に対して組み込むことは困難であるため、こうした手段を採る場合には製造コストの大幅な上昇に繋がる。
【０００７】
また、特許文献１のような構成とすることで、基礎が大型化して重量が大幅に増加するため、布基礎構造や独立基礎構造を前提とした場合には地盤への沈み込みを考慮する必要があるため、地盤調査や地盤改良等の必要性が増し、一層、工事費用が増大する恐れがある。
【０００８】
本発明は、このような課題を有効に解決することを目的としており、具体的には、限られた床面積の中で、採光や換気に優れた広い収納室を備えた建築物を、低コストで提供することを目的としている。
【課題を解決するための手段】
【０００９】
本発明は、かかる目的を達成するために、次のような手段を講じたものである。
【００１０】
すなわち、本発明の建築物は、地盤面上に基礎構造体を介して居室スペースを設け、居室スペースと地盤面の間に前記居室スペースよりも天井高さの低い収納室を構成するものであって、前記基礎構造体が、地盤面上に板状に設けたベタ基礎部と、当該ベタ基礎部の外周近傍より立ち上げた立上げ基礎部とを含んでいて、前記立上げ基礎部上に土台を介し複数の柱を設けて、これらの柱の上部に床根太を含む横架材を支持させており、前記床根太の下に天井パネル部材を取り付けることで天井面を、前記複数の柱に壁パネル部材を設けて当該壁パネル部材、前記土台および前記立上げ基礎部を基に壁面を、さらに前記ベタ基礎部によって床面をそれぞれ構成して、これらの天井面、壁面、及び床面によって仕切られた空間の少なくとも一部を収納室とするとともに、前記床根太の上に床パネル部材を設けることで第２の床面を構成し、当該第２の床面より上方の空間を居住スペースとしたことを特徴とする。
【００１１】
このように構成すると、建築物に必須となる基礎構造体のうちベタ基礎部を床面、立上げ基礎部を壁面の一部として利用して、立上げ基礎部上に柱を追加することで天井高を確保して、その内部に広い収納室を構成することができ、収納室の設置に掛かる製造コストの上昇を抑えることができる。さらには、壁面の上側が柱を中心として設けた壁パネル部材となっているため、窓や換気扇を容易に設けることができ、収納室内部を明るく快適なものにすることができる。また、基礎構造体を従来のベタ基礎構造と同様に構成することができ、地盤改良等のためのコスト上昇も従来と同等に抑えることができる。
【００１２】
さらに、前記床根太の上に床パネル部材を設けることで第２の床面を構成し、当該第２の床面より上方の空間を居住スペースとしているため、広い収納室と広い居住スペースを両立させるとともに、さらに構造を簡略化させて一層製作コストの低減を図ることができる。
具体的には、ベタ基礎部の外周に沿った壁面と、床面と、天井面とによって仕切られた空間のほぼ全体を収納室としているものや、ベタ基礎部の外周に沿った壁面と、内部壁とによって収納室を小さく仕切ることで、収納室の上の第２階層に対して当該収納室を、床面積の判断に用いられる基準比率以下の床面積とし、階数の判断に用いられる基準値以下の天井高さとしているものが挙げられる。
【００１３】
さらに材料の無駄を省くとともに物流コストを低減して、製造コストを削減するためには、前記居住スペースを形成するための複数の第２の柱を前記横架材上に設け、前記横架材を支持する柱及び前記第２の柱の少なくとも一部を、前記横架材を挟んで上下に連続するように配しつつ、横断面形状を同一とするように構成することが好適である。
【００１４】
また、簡単な構成でありながら、収納室内における天井としての見た目を損なうことなく、居住スペース内における断熱性を高めることを可能とするためには、前記天井パネル部材を発泡樹脂により形成することが好適である。
【００１５】
また、より強度の高い強固な構造とするためには、前記収納室を含む第１階層内において床面より天井面まで立ち上げられた第１の内部壁が設けられており、当該第１の内部壁が、前記第２の床面を含む第２階層内に設けられた第２の内部壁と平面視略同一の位置に配されるように構成することが好適である。
【００１６】
また、より収納室の使い勝手を向上させ、利便性を高めるためには、前記収納室と前記居住スペースとを連結する階段を内部に備えるように構成することが好適である。
【００１７】
また、安価な構成としながらも収納室内部に光や風を通すことができ、快適性を向上させるためには、前記壁パネル部材に窓を設けるように構成することが好適である。
【００１８】
収納室の使い勝手を一層向上させるためには、前記壁面の少なくとも一部に前記収納室に出入可能な出入口を設けるように構成することが好適である。
【発明の効果】
【００１９】
以上説明した本発明によれば、限られた床面積の中で、採光や換気が容易に可能であり快適性に優れた広い収納室を備えた建築物を、低コストで提供することが可能となる。
【図面の簡単な説明】
【００２０】
【図１】本発明の一実施形態に係る建築物の正面図。
【図２】同建築物の背面図。
【図３】同建築物の右側面図。
【図４】同建築物の左側面図。
【図５】同建築物の第１階層部分の間取り図。
【図６】同建築物の第２階層部分の間取り図。
【図７】同建築物の第３階層部分の間取り図。
【図８】同建築物の第４階層部分の間取り図。
【図９】同建築物の第１階層部分における柱と横架材の支持構造を模式的に示す断面図。
【図１０】図９より柱と横架材の支持構造を変形した例を示す断面図。
【図１１】同建築物の第１階層部分における柱と横架材の支持構造を模式的に示す斜視図。
【発明を実施するための形態】
【００２１】
以下、本発明の実施形態を、図面を参照して説明する。
【００２２】
本実施形態の建築物１は、図１〜図４に示す外観を示す戸建て住宅であり、地盤面ＧＬ上に建築されたものである。図１は玄関口１１が設けられた正面を示す正面図、図２は背面図、図３は右側面図、図４は左側面図である。なお、この建築物１は玄関扉１１の方位が北向きになるように設定してある。
【００２３】
図１に示すように、玄関扉１１は西側寄り、すなわち正面より見てやや右寄りの位置に設けられており、さらに階段１２を昇ったやや高い位置に配されている。この玄関扉１１内部の床面より上方の空間が居住スペースとなっており、これより下の地盤面ＧＬまでの範囲が第１階層Ｆ１として設定され、この内部に後述の床下収納室が形成されている。さらに、第１階層Ｆ１より上側には、前記居住スペースとして第２階層Ｆ２、第３階層Ｆ３及び第４階層Ｆ４が、順次構成されている。
【００２４】
ここで、本実施形態の建築物１は４つの階層Ｆ１〜Ｆ４より構成されているが、これと建築基準法等に定められた建築基準に照らした場合の階数の判断とは無関係である。後述するように、本建築物１における第４階層Ｆ４は、小屋裏収納室として構成するとともに、天井高さを基準値（現行は１４００ｍｍ）以下まで低くするとともに、床面積を基準比率（現行は第３階層の床面積の５０％）未満にまで小さく設定しているため、延べ床面積や階数の判断には用いられない。そのため、第４階層Ｆ４は、建築基準に照らした場合には四階として数えられない。従って、第１階層Ｆ１より第３階層Ｆ３のみが上記判断の根拠とされて、この建築物１は一般には三階建とされることになる。また、第１階層Ｆ１も、床下収納スペースとして活用するものであることから、例えば基準値（現行は第２階層Ｆ２の床面積の５０％）未満であるなど、床面積の設定次第では、階数の判断に用いられなくなり、結果として本建築物が二階建てと判断されることもあり得る。以下においては、建築基準法等に定められた建築基準による階数の判断とは異なり、実質的な構造を表すものとして、第１階層Ｆ１〜第４階層Ｆ４といった語を用いて説明を行っていく。
【００２５】
建築物１は、いわゆるベタ基礎構造からなる基礎構造体２１を備えており、この基礎構造体２１によって地盤面ＧＬに設置されている。そして、基礎構造体２１上には内部の構造体を覆う外壁２２が設けられており、その上部には屋根構造体２３が設けられている。屋根構造体２３は頂点付近が西側寄りにある玄関扉１１の上方に位置し、その頂点より東側と西側に同一の角度で傾斜させたものとなっており、東側の端部は西側に比して大きく下方に位置するものとなっている。図中では、外壁２２を一体的に示しているが、この外観は様々に変更することが可能であって、複数に分割されたものとすることもできる。また、基礎構造体２１の側面を覆う外装を設けるとともに、その外装を外壁２２と一体化させた外観とすることも可能である。
【００２６】
図１で示す正面図に表れる北側の外壁２２には、上述した玄関扉１１に加えて、第１階層Ｆ１に対応する位置に窓Ｗ１１が、第２階層Ｆ２に対応する位置に窓Ｗ２１が、第３階層Ｆ３に対応する位置に窓Ｗ３１，Ｗ３２が、第４階層Ｆ４に対応する位置に窓Ｗ４１がそれぞれ設けられている。これらのうち窓Ｗ１１，Ｗ２１は壁面に直接設けられた開閉不能な採光用の窓とされ、窓Ｗ３１，３２，Ｗ４１は窓枠を介して壁面に設けられた開閉可能な窓とされているが、これらの窓の構成は適宜変更することが可能である。以下に説明する窓についても同様である。
【００２７】
図２で示す背面図に表れる南側の外壁２２には、第１階層Ｆ１に対応する位置に窓Ｗ１２が、第２階層Ｆ２に対応する位置に窓Ｗ２２が、第３階層Ｆ３に対応する位置に窓Ｗ３３が、第４階層Ｆ４に対応する位置に窓Ｗ４２がそれぞれ設けられている。さらに、この南側の外壁２２には、第３階層Ｆ３に対応する位置において紙面手前方向に張り出すようにベランダ５６が設けられており、その手摺り部分によって窓Ｗ３３は一部が隠れるようになっている。
【００２８】
図３で示す右側面図に表れる西側の外壁２２には、第２階層Ｆ２に対応する位置に窓Ｗ２３〜Ｗ２５が、第３階層Ｆ３に対応する位置に窓Ｗ３４，Ｗ３５，Ｗ３６が、第４階層Ｆ４に対応する位置に窓Ｗ４３，Ｗ４４がそれぞれ設けられている。
【００２９】
図４で示す背面図に表れる東側の外壁２２には、第１階層Ｆ１に対応する位置に窓Ｗ１３が、第２階層Ｆ２に対応する位置に窓Ｗ２６〜Ｗ２９が、第３階層Ｆ３に対応する位置に窓Ｗ３７，Ｗ３８がそれぞれ設けられている。第４階層Ｆ４に対応する位置には屋根２３が掛かっている。
【００３０】
以下、各階層Ｆ１〜Ｆ４における間取りを説明する。図５は、第１階層Ｆ１における間取りを示す平面図であり、紙面上側を北向きとして記載したものである。この建築物１の外形は、南北を長辺方向とする略長方形となっている。第１階層Ｆ１における外部壁Ｐ１は、北側に面する短辺側の第１外部壁Ｐ１１と、西側に面する長辺側の第２外部壁Ｐ１２と、第１外部壁Ｐ１１と略平行な南側に面するもう一方の短辺側の第３外部壁Ｐ１３ａ，Ｐ１３ｂと、第２外部壁Ｐ１２と略平行な東側に面するもう一方の短辺側の第４外部壁Ｐ１４ａ，Ｐ１４ｂとを備えている。第３外部壁Ｐ１３ａ，Ｐ１３ｂは、互いに長辺方向（奥行き方向）に位置をずらして設けられており、その間が第５外部壁Ｐ１５によって接続されている。第４外部壁Ｐ１４ａ，Ｐ１４ｂ間にはシャッター１３が設けられており、本図ではシャッター１３を挟んで第４外部壁Ｐ１４ａ，Ｐ１４ｂが離間したものとなっているが、シャッター１３よりも上部の位置において第４外部壁Ｐ１４ａ，Ｐ１４ｂ同士を連続させるようにしてもよい。第１外部壁Ｐ１１には上述した窓Ｗ１１が、第３外部壁Ｐ１３ｂには窓Ｗ１２が、第４外部壁Ｐ１４ｂには窓Ｗ１３が形成されている。
【００３１】
外部壁Ｐ１１〜Ｐ１４ｂは、上述した基礎構造体２１と、外壁２２の内部に設けられた後述する強度部材としての壁パネル部材９３（図９参照）を基に構成されるものである。
【００３２】
外部壁Ｐ１及びシャッター１３の内部に形成される空間は、ほぼ全体が収納室３１として設定されており、この内部には建築物としての強度を維持するため床面より天井面まで立ち上がった第１の内部壁としての内部壁Ｑ１１〜Ｑ１８が設けられている。
【００３３】
まず、第１外部壁Ｐ１１の第２外部壁Ｐ１２側より略１／３程度の位置において、内部壁Ｑ１１が直交して設けられ、これと同一平面内になるように内部壁Ｑ１２，Ｑ１３がさらに設けられている。また、内部壁Ｑ１３は、第５外部壁Ｐ１５と連続しつつ同一平面を形成する位置に設けられている。隣接する内部壁Ｑ１１〜Ｑ１３は離間して設けられており、特に、内部壁Ｑ１１，Ｑ１２間は広く設定しているために、この間を支障なく人が通過することが可能となっている。
【００３４】
また、第２外部壁Ｐ１２からは、内部壁Ｑ１２に向かって内部壁Ｑ１４が延びるとともに、内部壁Ｑ１１からは第２外部壁Ｐ１２に向かって内部壁Ｑ１５が延びるように設けられている。内部壁Ｑ１５の端部と第２外部壁Ｐ１２との間には、第２階層Ｆ２との間で昇降可能な階段３２が設けられている。
【００３５】
シャッター１３と隣接する第４外部壁Ｐ１４ａ，Ｐ１４ｂの各端部からは、内部壁Ｑ１６，Ｑ１７が内側に向かって延びており、シャッター１３を開放した際の入口を形成するとともに、開放に伴う強度低下を補うための補強壁として機能するようになっている。また、第４外部壁１４ｂの略中央付近より内側に向かって内部壁Ｑ１８が延びるように形成されている。
【００３６】
このように外部壁Ｐ１及びシャッター１３の内部に形成される空間の内部には内部壁Ｑ１１〜Ｑ１８が設けられているものの、それぞれが離間しているために空間を閉鎖することがなく、連続性を有する収納室３１として一体的に使用することが可能となっている。
【００３７】
図６は、第２階層Ｆ２における間取りを示す平面図であり、紙面上側を北向きとして記載したものである。第２階層Ｆ２における外部壁Ｐ２は、北側に面する短辺側の第１外部壁Ｐ２１と、西側に面する長辺側の第２外部壁Ｐ２２と、第１外部壁Ｐ２１と略平行な南側に面するもう一方の短辺側の第３外部壁Ｐ２３ａ，Ｐ２３ｂと、第２外部壁Ｐ２２と略平行な東側に面するもう一方の短辺側の第４外部壁Ｐ２４とを備えている。第３外部壁Ｐ２３ａ，Ｐ２３ｂは、互いに長辺方向（奥行き方向）に位置をずらして設けられており、その間が第５外部壁Ｐ２５によって接続されている。第１外部壁Ｐ２１には上述した窓Ｗ２１が、第２外部壁Ｐ２２には窓Ｗ２３〜Ｗ２５が、第３外部壁Ｐ２３ｂには窓Ｗ２２が、第４外部壁Ｐ２４には窓Ｗ２６〜Ｗ２９が形成されている。第２階層Ｆ２における外部壁Ｐ２は、第１外部壁Ｐ１（図５参照）と対応する位置に設けられており、上下方向に連続するように構成されている。これらの外部壁Ｐ２１〜Ｐ２４は、後述する強度部材としての壁パネル部材９４（図９参照）を基に構成されるものである。
【００３８】
この外部壁Ｐ２内の空間は居住スペースとして設定されており、その内部には第１階層Ｆ１と同様に床面より天井面まで立ち上がった第２の内部壁としての内部壁Ｑ２１〜Ｑ２９が設けられている。
【００３９】
まず、第１外部壁Ｐ２１の第２外部壁Ｐ２２側より略１／３程度の位置において、内部壁Ｑ２１が直交して設けられ、これと同一平面内になるように内部壁Ｑ２２，Ｑ２３がさらに設けられている。これらの内部壁Ｑ２１〜Ｑ２３は、第１階層Ｆ１における内部壁Ｑ１１〜Ｑ１３（図５参照）と対応し、同一平面内に存在するように配されている。また、第１外部壁Ｐ２１より内側に向けて内部壁Ｑ２４を延在させるとともに、第２外部壁Ｐ２２より内側に向けて、内部壁Ｑ２５，Ｑ２６，Ｑ２７を互いに平行に延在させ、第４外部壁Ｐ２４より内側に向けて内部壁Ｑ２９を延在させている。これらのうち内部壁Ｑ２５，Ｑ２７，Ｑ２９は、第１階層Ｆ１における内部壁Ｑ１４，Ｑ１５，Ｑ１８にそれぞれ対応する位置に設けられている。
【００４０】
上記の位置関係を、第１階層Ｆ１における内部壁Ｑ１１〜Ｑ１８を基準に見てみると、内部壁Ｑ１１〜Ｑ１８のうち、シャッター周辺の補強用の内部壁Ｑ１６，Ｑ１７以外の、ほとんどの内部壁Ｑ１１〜Ｑ１５，Ｑ１８は、第２階層Ｆ２の内部壁Ｑ２１〜Ｑ２９のうちのいずれかに対応する位置に設けられているといえる。すなわち、第１階層Ｆ１における第１の内部壁は、第２階層Ｆ２における第２の内部壁と平面視略同一の位置に設けたものということができ、このような構成とすることで、第２階層Ｆ２以上の重量を、第１の内部壁及び第２の内部壁を介して地盤面ＧＬにしっかりと伝えることができ、建築物１としての強度を高めることが可能となっている。
【００４１】
第１外部壁Ｐ２１及び第４外部壁Ｐ２４並びに内部壁Ｑ２１，Ｑ２２，Ｑ２３，Ｑ２９によって仕切られた領域は、リビング・ダイニング・キッチン４２として設定され、そのうち内部壁Ｑ２４によって図中右上に仕切られた一画はキッチン４３として設定されている。リビング・ダイニング・キッチン４２の天井には、更に上層階の荷重を支える梁等の支持部材４２ａが設けられている。また、リビング・ダイニング・キッチン４２に連続する第３外部壁Ｐ２３ｂ及び第４外部壁Ｐ２４並びに内部壁Ｑ２３，Ｑ２９によって仕切られた空間は和室４４として設定されている。
【００４２】
第１外部壁Ｐ２１及び第２外部壁Ｐ２２並びに内部壁Ｑ２１，Ｑ２７によって仕切られた領域は玄関ホール４１として設定されており、ここより玄関扉１１を介して外部の出入りができるようになっている。玄関扉１１を出た場所には、玄関ホール４１と略同一の高さの踊り場１４が設けられ、上述の階段１２によって地盤面ＧＬ（図１参照）まで降りることができる。
【００４３】
第２外部壁Ｐ２２と内部壁Ｑ２２，Ｑ２６，Ｑ２７によって仕切られた内部領域は、さらに内部壁Ｑ２８によって仕切られており、そのうちのリビング・ダイニング・キッチン４２と隣接する領域が廊下４５として設定されるとともに、この廊下４５と連続して第３階層Ｆ３との昇降が可能な回り階段４９が設けられている。また、内部壁Ｑ２８によって仕切られた他の領域はトイレ４６として設定されており、廊下４５と連続するようになっている。さらには、第２外部壁Ｐ２２と内部壁Ｑ２３，Ｑ２５，Ｑ２６によって仕切られた領域は脱衣場４７として設定され、これと連続する第２外部壁Ｐ２２及び第３外部壁Ｐ２３ａ並びに内部壁Ｑ２３，Ｑ２５によって仕切られた領域は風呂場４８として設定されている。
【００４４】
このように、廊下４５はごく僅かなスペースでありながら、リビング・ダイニング・キッチン４２、回り階段４９、トイレ４６、脱衣場４７に移動するための空間として機能し、動線の短い効率のよい間取りが実現されている。また、回り階段４９の下スペースにはトイレ４６が配置されているため、デッドスペースのない効率的な配置となっている。
【００４５】
さらに、玄関ホール４１に面する内部壁Ｑ２７には扉４１ａが設けられており、扉４１ａを開けた位置には、上述した第１階層Ｆ１と繋がる階段３２（図５参照）が配置されている。建築物１の内部に第１階層Ｆ１と繋がる階段３２があることで、玄関扉１１より外に出ることなく収納室３１に降りることができ、利便性がさらに向上されている。また、扉４１ａより階段３２を昇降するための空間は、回り階段４９の下を利用して設けられており、より一層空間の無駄を排除した効率的な配置となっている。
【００４６】
図７は、第３階層Ｆ３における間取りを示す平面図であり、紙面上側を北向きとして記載したものである。第３階層Ｆ３における外部壁Ｐ３は、北側に面する短辺側の第１外部壁Ｐ３１と、西側に面する長辺側の第２外部壁Ｐ３２と、第１外部壁Ｐ３１と略平行な南側に面するもう一方の短辺側の第３外部壁Ｐ３３と、第２外部壁Ｐ３２と略平行な東側に面するもう一方の短辺側の第４外部壁Ｐ３４とを備えている。また、第３外部壁Ｐ３３より外側に張り出すようにベランダ５６が設けられている。第１外部壁Ｐ３１には上述した窓Ｗ３１，Ｗ３２が、第２外部壁Ｐ３２には窓Ｗ３４〜Ｗ３６が、第３外部壁Ｐ３３には窓Ｗ３３が、第４外部壁Ｐ３４には窓Ｗ３７，Ｗ３８が形成されている。第３階層Ｆ３における第１〜第４外部壁Ｐ３１〜Ｐ３４は、それぞれ第２階層Ｆ２における第１〜第４外部壁Ｐ２１，Ｐ２２，Ｐ２３ｂ，Ｐ２４（図６参照）と対応する位置に設けられており、上下方向に連続するように構成されている。これらの外部壁Ｐ３１〜Ｐ３４も、後述する強度部材としての壁パネル部材を基に構成されるものである。
【００４７】
この外部壁Ｐ３内の空間も居住スペースとして設定されており、その内部には第１階層Ｆ１、第２階層Ｆ２と同様、第３の内部壁としての内部壁Ｑ３１〜Ｑ３７が適宜位置に設けられている。これらのうち内部壁Ｑ３１，Ｑ３２，Ｑ３３は、第２階層Ｆ１における内部壁Ｑ２１及びＱ２２，Ｑ２７，Ｑ２６とそれぞれ対応する位置に設けられており、第３階層Ｆ３からの荷重を下側の第２階層Ｆ２によってしっかりと受けることができるようになっている。
【００４８】
第１〜第４外部壁Ｐ３１〜Ｐ３４、内部壁Ｑ３１〜Ｑ３７によって空間を仕切ることにより、各部に居室５１，５２，５３が設定され、これらに連続するようにクローゼット５１ａ，５２ａ，５３ａがそれぞれ設定されている。居室５１，５２，５３の間には廊下５４が設定されており、この廊下５４と連続してトイレ５５も設けられている。さらには、廊下５４は、上述した第２階層Ｆ２と繋がる回り階段４９に連続するとともに、第４階層Ｆ４と繋がる回り階段５７にも連続している。
【００４９】
図８は、第４階層Ｆ４における間取りを示す平面図であり、紙面上側を北向きとして記載したものである。第４階層Ｆ４における外部壁Ｐ４は、北側に面する短辺側の第１外部壁Ｐ４１と、西側に面する長辺側の第２外部壁Ｐ４２と、第１外部壁Ｐ４１と略平行な南側に面するもう一方の短辺側の第３外部壁Ｐ４３と、第２外部壁Ｐ４２と略平行な東側に面するもう一方の短辺側の第４外部壁Ｐ４４とを備えている。このうち第４外部壁Ｐ４４は、傾斜した屋根構造体２３（図１参照）の一部として構成されるものであり、屋根構造体２３の傾斜のため、第３階層Ｆ３における第３外部壁Ｐ３３よりも内側に位置する。第４階層Ｆ４における第１〜第３外部壁Ｐ４１〜Ｐ４３は、第３階層Ｆ３における第１〜第３外部壁Ｐ３１〜Ｐ３３（図７参照）と対応する位置に設けられており、上下方向に連続するように構成されている。外部壁Ｐ４１〜Ｐ４３も、後述する強度部材としての壁パネル部材を基に構成されるものである。
【００５０】
この外部壁Ｐ４内の空間は、小屋裏の収納スペースとして設定されており、その内部には第１〜第３階層Ｆ１〜Ｆ３と同様、第４の内部壁としての内部壁Ｑ４１が設けられている。内部壁Ｑ４１は第３階層Ｆ３における内部壁Ｑ３８と対応する位置に設けられており、第４階層Ｆ４からの荷重を下側の第３階層Ｆ３によってしっかりと受けることができるようになっている。
【００５１】
第２〜第４外部壁Ｐ４２〜Ｐ４４及び内部壁Ｑ４１によって仕切られた領域は収納室５９として設定されており、第１外部壁Ｐ４１、第２外部壁Ｐ４２、第４外部壁Ｐ４４及び内部壁Ｑ４１によって仕切られた領域は、階段５７に繋がる踊り場５８と設定され、この踊り場５８を介して収納室５９への出入りができるようになっている。これらの空間の上部には、屋根構造体２３（図１参照）の荷重を支える梁等の支持部材５９ａが設けられている。
【００５２】
本実施形態では、内部壁Ｑ４１以外に図示しない仕切りを設けることで、踊り場５８の床面積を小さくして、収納室５９と合わせた床面積が基準比率（現行は第３階層の床面積の５０％）未満にまで小さく設定している。また、天井高が最大で基準値（現行は１４００ｍｍ）以下となるようにしているため、この第４階層Ｆ４は建築基準法上に基づく基準に従うと床面積や階数の判断に含まれないものとなっている。しかしながら、踊り場５８の仕切りを設けない場合には、収納室５９及び踊り場５８を仕切るものは内部壁Ｑ４１のみとなるため、両者を合わせると、構造上は比較的広いスペースが得られるものとなっている。
【００５３】
図９〜図１１は、第２階層Ｆ２以上の空間よりなる居住スペースの下に設けた収納室３１の構成を示すものである。
【００５４】
収納室３１は、天井高が２０００ｍｍ以下となるように設定しており、十分に天井高が高い場合には居室として利用することも可能となる。単なる収納室として利用するためには天井高１４００ｍｍ以下とすることが好ましく、その中でもより収納室内の空間を広くして使い勝手を良くするためには１３５０ｍｍ以上１４００ｍｍ以下の範囲とすることが特に好ましい。
【００５５】
図９及び図１１に示すように、本実施形態における建築物１の基礎構造体２１は、地盤面ＧＬ上に設けられ、平面視略矩形状で厚みが約５０ｍｍの平板状に形成されたベタ基礎部６１と、このベタ基礎部６１の外周近傍より約４４０ｍｍ立ち上げた立上げ基礎部６２とを含むものである。すなわち、基礎構造体２１は、ベタ基礎部６１と立上げ基礎部６２とによって、概ね舟形を構成することになる。このようなベタ基礎構造は、建築物１の重量を広い面積によって支えることになるため、比較的軟かい地盤において沈み込みを防ぐなどの点で有利に働く。立上げ基礎部６２は、上述した第１階層Ｆ１における外部壁Ｐ１（図５参照）に対応する位置に存在するため、シャッター１３に対応した位置のみ途切れた状態となっている。さらには、立上げ基礎部６２と同様、内部壁Ｑ１１〜Ｑ１８に対応する位置にベタ基礎部６１より立ち上げた内部基礎部（図示せず）が設けられている。
【００５６】
立上げ基礎部６２の上面６２ａ上には、厚みが約２０ｍｍの基礎パッキン７５が設けられ、その上に土台７１，７２が設けられている。土台７１，７２として断面９０ｍｍ×９０ｍｍの桧の角材が寝かした状態で使用されている。勿論、土台７１，７２は寸法が変わってもよい（例えば１０５ｍｍ×１０５ｍｍ、１２０ｍｍ×１２０ｍｍ、スタットの場合は３８ｍｍ×８９ｍｍ）。土台７１，７２上には柱７３として、断面９０ｍｍ×９０ｍｍで長さ１４８０ｍ以下の桧の角材が立てた状態で設けられている。このような寸法のものを用いることで、天井高を２０００ｍｍ以下とすることができる。上述した収納室３１の天井高として特に好ましい１３５０ｍｍ以上１４００ｍｍ以下の範囲にするためには、柱７３の長さ寸法は８３０〜８８０ｍｍの範囲に設定することになる。勿論、天井高は２０００ｍｍ以上であっても構わない。この柱７３は基礎パッキン７５や土台７１，７２を介して立上げ基礎部６２上に設けられている。柱７３は９１０ｍｍピッチで複数本設けられており、その間には間柱７４が設けられている。間柱７４としては断面３８ｍｍ×８９ｍｍのツーバイフォー材を柱７３と同一の長さにカットしたものを使用している。もちろん、柱７３や間柱７４の材料、寸法及びピッチは上記のものに限ることなく、適宜変更しても差し支えない。
【００５７】
柱７３及び間柱７４の上部には、土台７１，７２と平行に梁８１，８２が設けられており、これらの梁８１，８２の上部には、第２の柱８３及び第２の間柱８４がさらに設けられている。ここで、上記の梁８１，８２とは、一般にいう梁と桁を含むものであり、柱７３上に架け渡されたものを称する。梁８１，８２は断面９０ｍｍ×９０ｍｍの桧の角材で構成しており、長さが２５００〜２７００ｍｍ以上のものは端部以外の箇所でも支持させることが必要となる。その場合には、ベタ基礎部６１上に１又は複数の束を設けて、この束により後述する床根太８５の中央付近、又は長手方向に離間させた複数の位置を支持させるように構成すれば良い。このような束は、例えば図５に示すように、内壁部Ｑ１６，Ｑ１８の延長となる位置Ｘ１，Ｘ２に設けることが強度を高めるために適切である。また、この位置Ｘ１，Ｘ２を、同時に第２階層Ｆ２における内部壁Ｑ２４，Ｑ２９の線上にすることも好適であり、こうすることで、上方からの荷重をよりしっかりと伝達することが可能となっている。もちろん床根太８５の上下方向の寸法を大きくすることで、上下方向に対する強度を増大させて束を不要とすることも可能である。
【００５８】
図９及び図１１に戻り、梁８１，８２を挟んで、第２の柱８３は柱７３と、第２の間柱８４は間柱７３と、それぞれ上下方向に連続するように設けられている。そのため、上からの荷重を適切に土台７１，７２及び基礎構造体２１へと伝達することができるようになっている。また、上下の柱７３と第２の柱８３、間柱７４と第２の間柱８４を同一断面のものとしているため、長尺の同一材料を切断して形成することができ、材料の無駄を省くとともに、材料の輸送に掛かる物流費用を削減して、製造コストを削減することが可能となっている。また、下方に用いる柱７３と間柱７４を、従来使用していた柱や間柱よりも長さの短いものとすることができるため、これまでは端材として処分していた木材を有効活用することで材料採りの効率化を図り、より一層材料の無駄を削減することが可能となっている。
【００５９】
梁８１（８２）からは、従来の大引きと根太を兼用した複数の床根太８５〜８５が互いに平行になるように設けられている。これらの床根太８５と梁８１，８２は、本建築物１における横架材となっている。なお、図１１においては梁８１にのみ床根太８５が取り付けられた状態としているが、構造上は、梁８２に取り付けたものとしても支障はない。床根太８５〜８５としては断面９０ｍｍ×９０ｍｍの桧の角材を使用しており、約３０３ｍｍの比較的短いピッチで配置している。そのため、大引きと根太を組み合わせて使用する場合に比べて、強度が向上するとともに、構成を簡素化することが可能となっている。また、床根太８５は従来の根太に比べて太い材料であるために、キシミを抑制することも可能となっている。
【００６０】
また、床根太８５〜８５は梁８１の間に架け渡すように設けるものであるが、部材間の寸法又は組立誤差等によっては、適切に取付けを行うことができない場合もある。こうした場合には、図１０に示すように梁８１の内側面に根太掛８６を設け、この根太掛８６に根太受金具８７を介して床根太８５を設ける構成とすることも可能である。また、これと同様の構成として、根太受金具８７を用いる代わりに根太掛８６の上部に直接アリ溝を彫り込み、床根太８５の端部を対応する形状としてアリ溝内に収容することにより連結させることも可能である。これらの場合に使用する床根太８５としては、断面３８ｍｍ×８９ｍｍのツーバイフォー材や、断面３８ｍｍ×１４０ｍｍのツーバイシックス材、断面３８ｍｍ×１８６ｍｍのツーバイエイト材、断面３８ｍｍ×２３５ｍｍのツーバイテン材などを好適に用いることができる。このように床根太８５としてより大きなサイズの材料を用いて高さ方向の寸法を大きくすることで、上下方向への強度を高めて上述した束（Ｘ１，Ｘ２）を不要とすることも可能である。この場合、床根太８５のサイズに合わせて、根太掛８６及び根太受金具８７も寸法を大きくすることになる。
【００６１】
図９及び図１１に戻って、床根太８５〜８５の上には、湿気防止のためのポリフィルム（図示せず）が設けられるとともに、その上に床パネル材９２が敷き詰められるようにして設けられ、第２の階層Ｆ２における第２の床面を構成している。
【００６２】
床根太８５〜８５は、適宜ピッチを異ならせて配置することができ、ピッチを４５５ｍｍとして、柱７３と間柱７４の間隔に合わせることもできる。ただし、この場合には、第２の床面の強度が低下する恐れがあるため、そのような場合には、床パネル材９２の下方に強度の高い構造パネル材を設けることも適切である。また、床根太８５〜８５として断面９０ｍｍ×９０ｍｍのものを使うことも必須ではなく、１０５ｍｍ×１０５ｍｍのものなど一般に使用される寸法のものを適宜使用することができる
【００６３】
このように、床根太８５よりも上側部分においては第２階層Ｆ２を構成している。他方、床根太８５よりも下側部分においては第１階層Ｆ１を構成することができる。
【００６４】
第１階層Ｆ１における床面は、ベタ基礎部６１における上面６１ａをそのまま用いている。このように、従来は有効に利用することのなかったベタ基礎部６１を、床面として利用することで材料及び設計の効率化を図るとともに、製造コストの上昇を抑えることができる。また、床面がコンクリート製の平坦な面として構成されることになるため、人や荷物の移動のための台車を好適に使用することができる。収納室３１の内部にロープ等を巡らせる構成とすると、人が台車に乗った状態でロープを引っ張りつつ移動を容易に行うこともできる。
【００６５】
また、第１階層Ｆ１における天井は、床根太８５を支持部材として、これに直接貼り付けた天井パネル部材９１によって構成している。このように、床根太８５が第１階層Ｆ１における天井パネル部材９１の下地材である支持部材と、第２階層Ｆ２における床パネル部材９２の下地材である支持部材としての役割を兼ねるようにしていることから、より製造コストの削減を行うことが可能となっている。また、天井パネル部材９１は、厚み３０ｍｍのＥＰＳ（発泡スチロール）素材の板状パネルであり、第２階層Ｆ２側における床面の断熱材としての機能をも有している。また、ＥＰＳ素材であるために、内部にいる人が天井にぶつかった場合でも衝撃を緩和することができ、頭部等の打撲を防ぐためのガードとしても利用可能となっている。
【００６６】
上記のように構成することで、柱７３及び間柱７４の長さを８３０ｍｍ〜８８０ｍｍに設定した場合には、床面としてのベタ基礎部６１の上面６１ａと、天井パネル部材９１の下面までの天井高は１３５０〜１４００ｍｍとなる。この高さは、人が内部で移動したり、作業したりするために十分であり、そのために、床根太８５への天井パネル部材９１の取付けを下側から容易に行うことができ、良好な作業性を得ることができる。なお、上述したように柱７３及び間柱７４の長さを十分に大きくすることで、天井高を高くして単なる収納室としてのみでなく、居室として利用することも可能となる。なお、天井高を変更するためには、柱７３及び間柱７４の長さを変更する代わりに、基礎構造体２１の寸法、特に立上げ基礎部６２の高さ寸法や、土台７１，７２の高さ寸法、床根太８５の高さ寸法、天井パネル部材９１の厚み寸法のいずれかを変更することでも実現でき、これらと柱７３、間柱７４のうち複数の寸法を適宜調整することで、所望の天井高を得ることが可能である。
【００６７】
さらに、図９に示すように、柱７３及び間柱７４の外側には、壁パネル部材９３を設ける。壁パネル部材９３は、枠組み壁工法に用いる強度部材としての構造合板であり、これを取り付けることで、構造物としての強度を与えつつ、壁面の一部を構成することができる。柱７３及び間柱７４の高さ寸法を８３０〜８８０ｍｍとした場合には、この部位に取り付ける壁パネル部材９３には、一般に規格品として販売されている９１０ｍｍ×１８２０ｍｍサイズの合板を横向きで用いることができ、こうすることでより材料の無駄を抑えて、コスト削減を図ることが可能となっている。なお、第２階層Ｆ２以上においても壁パネル部材９４を設けているが、これは一般的な手法により構成することで足りる。
【００６８】
第１階層Ｆ１における壁面である構造体としての外部壁Ｐ１（図５参照）は、上記壁パネル部材９３に加えて立上げ基礎部６２を基に構成される。さらに、この外部壁Ｐ１に対して、断熱材や外観を整えるためのパネル部材をさらに取り付けることで、上述の外壁２２が形成されることになる。このように、これまでは基礎としての役割しか有していなかった立上げ基礎部６２の高さ寸法を有効に利用して、低コストで構造体としての壁面及び外壁２２を構成することが可能となっている。
【００６９】
また、柱７３、間柱７４及び壁パネル部材９３に掛かる構成は、一般の住宅において居住スペースを構成する際の構造と類似しているため、この部分には、一般に壁面に設ける窓や換気扇を同一の工法を用いて取り付けることができる。本実施形態における第１階層Ｆ１の外壁Ｐ１に設けた窓Ｗ１１〜Ｗ１３は、全て、立上げ基礎部６２よりも上方の壁パネル部材９３に設置したものである。このようにすることで、コストの上昇を抑えつつ、収納室３１内部を採光や換気を行うことのできる快適な空間とすることができる。もちろん、室内に取り込む光量はカーテン等や仕切りによって制限することができるため、紫外線を嫌う発酵物や、熱に弱い物品等の長期保存にも適している。
【００７０】
また、本実施形態においては、上述したように内部壁Ｑ１１〜Ｑ１８（図５参照）によって空間が細かく仕切られておらず、壁面と床面と天井面によって仕切られた空間のほぼ全体が収納室３１として設定されている。この収納室３１の内部においては、内部壁Ｑ１１〜Ｑ１８の間を人が通ることができる程度に離間させていることから、室内全ての空間を有効に利用することができる。なお、上述したように、梁８１，８２や床根太８５を支えるための束（Ｘ１，Ｘ２）を設けた場合であっても、束は十分に小さいため人の移動にとって障害となるものではない。
【００７１】
また、本実施形態においては、壁面にシャッター１３を備え、シャッター１３を通じて外部より直接収納室３１内に入ることができるとともに、収納室３１内の天井高を通常の床下収納スペースよりも高く設定しているため、自転車やベビーカーなどの置き場としても有効に活用することができる。
【００７２】
以上のように、本実施形態における建造物１は、地盤面ＧＬ上に板状に設けたベタ基礎部６１と、そのベタ基礎部６１の外周近傍より立ち上げた立上げ基礎部６２とを含む基礎構造体２１を具備し、立上げ基礎部６２上に設けた複数の柱７３と、これらの柱７３の上部により支持させた横架材としての梁８１，８２及び床根太８５とをさらに備えており、横架材の一部である床根太８５の下方に天井パネル部材９１を取り付けることで天井面を構成するとともに、前記複数の柱７３に壁パネル部材９３を設け、その壁パネル部材９３と立上げ基礎部６２を基に壁面を構成し、ベタ基礎部６１を床面として、これらの天井面、壁面、及び床面に仕切られた空間のほぼ全体を収納室（居室）３１として構成したものである。
【００７３】
このように構成しているため、建築物に必須となる基礎構造体２１のうちベタ基礎部６１を床面、立上げ基礎部６２を壁面の一部として利用して、立上げ基礎部６２上に柱７３を追加することで、天井高を確保して広い収納室３１を構成することができ、収納室３１の設置に掛かる製造コストの上昇を抑えることができる。また、この収納室３１の天井高を十分に高くした場合には、居室としても利用することができる。さらには、壁面の上側が柱７３を中心として設けた壁パネル部材９３となっているため、窓Ｗ１１〜Ｗ１３や換気扇を容易に設けることができ、収納室３１内部を明るく快適なものにすることができる。加えて、ベタ基礎部６１を床面としていることから、地熱により収納室３１の内部を冬は暖かく夏は涼しく保つことが可能となっている。また、基礎構造体２１を、従来のものと同様に構成することができるため、地盤改良等のためのコスト上昇も従来と同等に抑えることが可能となっている。さらには、基礎構造体２１周辺における湿気を防ぐとともに、シロアリによる被害やカビ・ダニ等の発生のチェックを行うことも容易になる。
【００７４】
また、横架材の一部である床根太８５の上方に床パネル部材９２を設けることで第２の床面を構成し、第２の床面より上方の空間を、居住スペースとして構成しているため、共通する床根太８５によって天井パネル部材９１と床パネル部材９２の双方を支持させる構造とすることで、さらに構造を簡略化して製作コストの低減を図ることが可能となる。また、収納室３１の上方を通常の居住スペースとして構成することで、広い収納室３１と広い居住スペースを両立することが可能となる。さらには、第２の床面が通常よりも高い位置に存在することから、居住スペースの湿気を少なくして快適性を向上することが可能となっている。また、収納室３１の内部に、上部の居住スペース内に引き入れるための給水・排水用の配管を設ける場合には、水漏れの有無のチェックやメンテナンスも容易に行うことも可能となっている。さらに、この収納室３１は、上部の居住スペース内に電気配線や配管を新たに導入する際の作業スペースとしても活用することができるため、リフォームやメンテナンスに係る作業を容易に行うことも可能となっている。
【００７５】
また、居住スペースを形成するための複数の第２の柱８３を横架材としての梁８１，８２上に設け、梁８１，８２を支持する柱７３及び第２の柱８３の少なくとも一部を、梁８１，８２を挟んで上下に連続するように配しつつ、横断面形状を同一とするように構成しているため、梁８１，８２を挟んで上下に配する柱７３と第２の柱８３とを同一の木材を利用して構成して材料の無駄を省くとともに、物流コストを低減して、さらに製造コストを削減することが可能となっている。
【００７６】
また、天井パネル部材９１を発泡樹脂により形成するように構成しているため、簡単な構成でありながら、収納室３１内における天井としての見た目を損なうことなく、居住スペース内における断熱性を高めることが可能となる。さらに、弾力性があるために、収納室３１の天井高を低く設定した場合であっても、天井にぶつかった際の衝撃を緩和することが可能となっている。
【００７７】
また、収納室３１を含む第１階層Ｆ１内において床面６１ａより天井面９１まで立ち上げられた第１の内部壁Ｑ１１〜Ｑ１８が設けられており、これら第１の内部壁Ｑ１１〜Ｑ１８が、第２の床面９２を含む第２階層Ｆ２内に設けられた第２の内部壁Ｑ２１〜Ｑ２９と平面視略同一の位置に配されるように構成しているため、第２階層Ｆ２以上の部分に掛かる重量を、しっかりと第１階層Ｆ１内の第１の内部壁Ｑ１１〜Ｑ１８を介して地盤面ＧＬに伝えることが可能になるため、より強度の高い、しっかりとした構造とすることが可能となっている。
【００７８】
また、収納室３１と居住スペースとを連結する階段３２を内部に備えるように構成しているため、より利便性を向上することが可能となっている。
【００７９】
また、壁パネル部材９３に窓Ｗ１１〜Ｗ１３を設けるように構成しているため、通常の建築物において窓を設ける場合と同様の工法で、窓を設置することができるため、安価な構成としながらも収納室３１内部に光や風を通すことができ、快適性を向上することが可能となっている。
【００８０】
壁面の少なくとも一部に収納室３１に出入可能な出入口としてのシャッター１３を設けるように構成しているため、より一層利便性を向上することが可能となっている。
【００８１】
なお、各部の具体的な構成は、上述した実施形態のみに限定されるものではない。
【００８２】
例えば、採光や換気を容易に可能とする広い収納室３１を床下に構成可能とする点からすると、立上げ基礎部６２上に柱７３及び間柱７４を置いて、これらに横架材の支持を行わせる構成としていれば、この横架材の構成は様々に変形することができる。本実施形態では、大引きと根太の機能を併せ持つ床根太８５を平行に配する構成としていたが、床根太８５を縦横に直交するように配する構成とすることもでき、こうすることで、さらに剛性を高めることが可能となる。また、従来と同様、大引きと根太とを組み合わせる構成とすることも可能である。すなわち、柱７３及び間柱７４に支持される横架材と、この横架材よりも上の階層は、従来の建築物と同様の様々な形状に変更することができ、建築基準さえ満たせば、階層の数を増減させることも可能である。
【００８３】
また、上述の実施形態では、壁面と床面と天井面によって仕切られた空間のほぼ全体を収納室３１としていたが、内部壁によって収納室を小さく仕切ることも可能であり、床面積を第２階層Ｆ２の基準比率（現行は５０％）以下で天井高を基準値（現行は１４００ｍｍ）以下とした場合には、建築基準法における床面積や階数の判断に用いられないものとすることもできる。また、天井高を基準値（現行は１４００ｍｍ）以上として、人が立ち上がることも可能な程度にすれば、居住空間の一部として使用することも可能である。
【００８４】
また、各階層Ｆ１〜Ｆ４内のレイアウトは一例を示したものであって、適宜変更可能である。さらに、ベタ基礎部６１からなる床面に床パネルを敷き詰めて、収納する荷物の保護を図ることや、断熱性能を高めるような利用形態も可能である。
【００８５】
その他の構成も、本発明の趣旨を逸脱しない範囲で種々変形が可能である。
【符号の説明】
【００８６】
１…建築物
１３…シャッター
２１…基礎構造体
２２…外壁
３１…収納室
３２…階段
６１…ベタ基礎部
６２…立上げ基礎部
７１，７２…土台
７３…柱
７４…間柱（柱）
８１，８２…梁（横架材）
８３…柱（第２の柱）
８４…間柱（第２の柱）
８５…床根太（横架材）
９１…天井パネル部材
９２…床パネル部材（第２の床面）
９３，９４…壁パネル部材
Ｆ１〜Ｆ４…第１階層〜第４階層
ＧＬ…地盤面
Ｑ１１〜Ｑ１８…内部壁（第１の内部壁）
Ｑ２１〜Ｑ２９…内部壁（第２の内部壁）
Ｗ１１〜Ｗ１３，Ｗ２１〜Ｗ２９，Ｗ３１〜Ｗ３８，Ｗ４１〜Ｗ４４…窓
【要約】      （修正有）【課題】限られた床面積の中で、採光や換気に優れた広い収納室を低コストで確保できる建築物を提供する。【解決手段】地盤面ＧＬ上に板状に設けたベタ基礎部６１と、ベタ基礎部６１の外周近傍より立ち上げた立上げ基礎部６２とを含む基礎構造体２１を具備し、立上げ基礎部６２上に設けた複数の柱７３と、これらの柱７３の上部により支持させた横架材としての梁８１，８２及び床根太８５とをさらに備えており、横架材の一部である床根太８５の下方に天井パネル部材９１を取り付けることで天井面を構成するとともに、複数の柱７３に壁パネル部材９３を設け、壁パネル部材９３と立上げ基礎部６２を基に壁面を構成し、ベタ基礎部６１を床面として、これらの天井面、壁面、及び床面に仕切られた空間の少なくとも一部を収納室３１として構成した。【選択図】図９【図１】
0005479640.tif 000002
【図２】
0005479640.tif 000003
【図３】
0005479640.tif 000004
【図４】
0005479640.tif 000005
【図５】
0005479640.tif 000006
【図６】
0005479640.tif 000007
【図７】
0005479640.tif 000008
【図８】
0005479640.tif 000009
【図９】
0005479640.tif 000010
【図１０】
0005479640.tif 000011
【図１１】
0005479640.tif 000012